(57)【特許請求の範囲】
【請求項１】
椅子等の座位箇所を支える幅方向の双方のフレームを、略中間で互いに交叉させて水平方向に回動可能に軸止めした一対のリンクと、これらリンクの回動動作を拘束する拘束手段とで構成する折畳み機構により折畳み可能に連結する構成とし、前記一対のリンクは、双方のフレームと、それぞれ回動固定端部と双方のフレームの相対する側に設けたガイドレールに移動可能に装着した移動端部とを介して連結し、前記拘束手段は、前記リンクの回動可能に軸止めした箇所から移動端部にかけての箇所を互いに屈曲／固定可能に連結して、前記一対のリンク間を保持する第１の拘束リンクと第２の拘束リンクとで構成し、前記座幅調節手段は、前記リンクの回動可能に軸止めした箇所から移動端部にかけての箇所に突設したピン部材と、前記第１、２拘束リンクの一端側近傍に、それぞれ第１、第２拘束リンクの軸方向に沿って、前記ピン部材を選択的に係脱可能に係止する複数の係止穴を連設してなる調節長穴とによって構成したことを特徴とする請求項１記載の座幅変更機能を有する椅子装置。
【請求項２】
前記第１、第２拘束リンクは、前記リンクの回動可能に軸止めした箇所から移動端部にかけての等位置に、一端側近傍の調節長穴を介して軸止めし、これら第１、第２拘束リンクの他端側を、互いに操作軸によって連結し、第１、第２拘束リンクのうちの一方の他端側に、一対のリンクの移動端部の移動方向と逆側に第１、第２拘束リンクを微小角度折れ曲がり状態で保持するための、保持縁を形成すると共に、前記操作軸に、操作軸を中心に第１、第２拘束リンクを回動させて第１、第２拘束リンクの保持状態を解除する握り部を有することを特徴とする請求項１記載の座幅変更機能を有する椅子装置。
【請求項３】
前記座位箇所は、家具椅子における座位箇所であることを特徴とする請求項１または２記載の座幅変更機能を有する椅子装置。
【請求項４】
前記座位箇所は、車椅子における座位箇所であることを特徴とする請求項１または２記載の座幅変更機能を有する椅子装置。
【発明の詳細な説明】
【０００１】
【発明の属する技術分野】
本発明は、座った際に、使用者の体格、身体状況の状況に関わらず、望ましい座位姿勢をとることができるように座幅を変更可能とした、座幅変更機能を有する椅子装置に関するものである。
【０００２】
【従来の技術】
従来、車椅子は、高齢者、重傷病患者、歩行障害者にとっては不可欠の備品であり、大多数の使用者が使いやすいように設計がなされている。
例えば、座位箇所である座部に関しては、使用者が足を床面に着け、膝関節や股関節が概ね９０度となる座位姿勢をとる上で、その設計は重要である。
また、かかる車椅子は、非使用時には、保管しやすいようにするために折畳み構造としている。そのため、座部は、ビニールレザーまたはナイロンシート等で形成している。
【０００３】
【発明が解決しようとする課題】
しかしながら、これまでの座部では、使用者の体格、身体状況の状況に応じて座幅を変更できるようには構成されておらず、この結果、臀部幅と車椅子の幅が合わないことによって、いわゆる斜め座りとなってしまう使用者もおり、望ましい前述の座位姿勢をとることが困難であることがあった。
本発明は、かかる背景から提案されたものであって、座った際に、使用者の体格、身体状況の違いに関わらず、望ましい座位姿勢をとることができるように座幅を変更可能とした、座幅変更機能を有する椅子装置を提供することを目的とする。
【０００４】
【課題を解決するための手段】
前記した課題を解決するために、本発明では、請求項１において、椅子等の座位箇所を支える幅方向の双方のフレームを、略中間で互いに交叉させて水平方向に回動可能に軸止めした一対のリンクと、これらリンクの回動動作を拘束する拘束手段とで構成する折畳み機構により折畳み可能に連結する構成とし、前記一対のリンクは、双方のフレームと、それぞれ回動固定端部と双方のフレームの相対する側に設けたガイドレールに移動可能に装着した移動端部とを介して連結し、前記拘束手段は、前記リンクの回動可能に軸止めした箇所から移動端部にかけての箇所を互いに屈曲／固定可能に連結して、前記一対のリンク間を保持する第１の拘束リンクと第２の拘束リンクとで構成し、前記座幅調節手段は、前記リンクの回動可能に軸止めした箇所から移動端部にかけての箇所に突設したピン部材と、前記第１、２拘束リンクの一端側近傍に、それぞれ第１、第２拘束リンクの軸方向に沿って、前記ピン部材を選択的に係脱可能に係止する複数の係止穴を連設してなる調節長穴とによって構成した座幅変更機能を有する椅子装置を提案する。
また本発明では、請求項２において、前記第１、第２拘束リンクは、前記リンクの回動可能に軸止めした箇所から移動端部にかけての等位置に、一端側近傍の調節長穴を介して軸止めし、これら第１、第２拘束リンクの他端側を、互いに操作軸によって連結し、第１、第２拘束リンクのうちの一方の他端側に、一対のリンクの移動端部の移動方向と逆側に第１、第２拘束リンクを微小角度折れ曲がり状態で保持するための、保持縁を形成すると共に、前記操作軸に、操作軸を中心に第１、第２拘束リンクを回動させて第１、第２拘束リンクの保持状態を解除する握り部を有する座幅変更機能を有する椅子装置を提案する。
また本発明では、請求項３において、前記座位箇所は、家具椅子における座位箇所である座幅変更機能を有する椅子装置を提案する。
さらに本発明では、請求項４において、前記座位箇所は、車椅子における座位箇所である座幅変更機能を有する椅子装置を提案する。
【０００５】
請求項１によれば、使用者に応じて、リンクの回動動作を拘束する第１拘束リンクと第２拘束リンクとを互いに屈曲させることで、前記一対のリンクの移動端部をガイドレールに沿って移動し、一対のリンクが水平方向に作動して、双方のフレームを近接、離反作動することができる。
その際、リンクの回動可能に軸止めした箇所から移動端部にかけての箇所に突設したピン部材を、第１、２拘束リンクの調節長穴における係止穴のいずれかに選択的に係止させて、前記第１、２拘束リンクを固定保持することで、一対のリンクの動作を拘束して、前記双方のフレーム間の距離、すなわち座幅を所望の幅に保持することができる。
【０００６】
請求項２によれば、リンクの回動可能に軸止めした箇所から移動端部にかけての箇所に突設したピン部材を、第１、２拘束リンクの調節長穴における係止穴のいずれかに選択的に係止した状態で、第１、第２拘束リンクのうちの一方の他端側における保持縁により、一対のリンクの移動端部の移動方向と逆側に第１、第２拘束リンクを微小角度折れ曲がり状態で保持して、双方のフレームを拘束し、座位箇所を所望の座幅に変更することができる。
そして、操作軸の握り部を持って一対のリンクの移動端部の移動方向に操作すれば、第１、第２拘束リンクの保持状態が解除され、一対のリンクを水平方向に互いに開閉作動させて、座幅の再調整を行うことができる。
【０００７】
請求項３によれば、座幅を使用者に応じて変更することができるので、一層、椅子を使用しやすいものとすることができる。
【０００８】
請求項４によれば、座幅を使用者に応じて変更することができるので、一層、椅子を使用しやすいものとすることができる。
【０００９】
【発明の実施の形態】
次に、本発明にかかる座幅変更機能を有する椅子装置について、車椅子の一つの実施の形態を示すと共に、添付の図面に基づいて、以下説明する。
図１に車椅子１を示し、この車椅子１では、前輪２と、前輪２に比較して大径な後輪３を装着したベースフレーム４と、ベースフレーム４に前記前輪２前方に突出するフットレスト５を保持してなるフットフレーム６と、ベースフレーム４から後輪３上方に延在する背フレーム７と背フレーム７に連なるハンドル部８と、ベースフレーム４における背フレーム取付箇所近傍から、前記フットフレーム６取付箇所にかけて配置してなる座部９と背フレーム７に沿って配置した背部１０とを備え、前記座部９両側面にアームレスト装置１１を配置するようにしている。
【００１０】
前記アームレスト装置１１間にある座部９は、前記ベースフレーム４上に、ボルトなどの固定手段により、着脱可能に装着した座板（後述）とこの座板上に載置したクッション部１２とによって構成している。なお、このクッション部１２は、詳細は説明しないが周知の適度な反発性を有する詰物（図示せず）をビニールレザーなどの表地で覆ったもので、上面は、座部９の前部から背部１０側にかけて、若干の俯角（例えば略５°）をなすように傾斜している。
また前記座部９は、幅方向に相対する双方のベースフレーム４上に、両側縁部側を載置して、ボルト止めする例えば鋼板をプレス加工、溶接して形成した座板１３を有している。この座板１３は、フットフレーム６取付箇所寄りに位置させて、膝裏から大腿部にかけて支える前座部１３ｆと、この前座部１３ｆに比較して低位置に段差形成し、腰部を支える後座部１３ｂとを有している（図２参照）。なお前記座板１３には、後述する座幅変更機能に対応して、ボルト止めする取付穴Ｈｖを複数、両側縁部側に設けている。
【００１１】
そして、以上のような座部９直下には、幅方向に相対する双方のベースフレーム４間に、座部９の幅寸法を保持したり、幅方向に前記双方のベースフレーム４を近接させて車椅子１を折畳み状態とする折畳み機構１４を設けている。
この折畳み機構１４は、略中間で互いに交叉させて回動軸ａを中心に水平方向に回動可能に軸止めした一対のリンク１５，１５を備えている。
これらリンク１５は、双方のフレーム４と、それぞれ回動固定端部Ｅ1と双方のフレーム４の相対する側に設けたガイドレール（後述）に移動可能に装着した移動端部Ｅ2とを介して連結している。
前記回動固定端部Ｅ1は、双方のベースフレーム４の前記フットフレーム６取付箇所近傍に、ベースフレーム４下部および上部に突設した突片１６に、鉛直方向に取り付けた固定軸Ａｓに回動自在に装着している。
一方、前記移動端部Ｅ2は、前記双方のベースフレーム４上部、下部の内側辺に中間側から背フレーム７取り付け側に向かって付設したガイドレール１７に沿って、適宜な移動子（図示省略）を介し移動自在に装着している。
【００１２】
また、前記折畳み機構１４におけるリンク１５の前記回動軸ａから移動端部Ｅ2にかけての箇所に、一対のリンク１５，１５の回動動作を拘束して、車椅子１の幅寸法を保持すると共に変更する拘束手段１８を設けている。
この拘束手段１８は、前記それぞれのリンク１５の回動軸ａから移動端部Ｅ2にかけての等位置に、それぞれのリンク１５の一端側近傍を座幅調節手段１９を介して連結した等長の第１の拘束リンク２０ａと、第２の拘束リンク２０ｂとで構成している。
またこれら第１、第２拘束リンク２０ａ，２０ｂの他端側は、互いに操作軸２１によって連結している。この操作軸２１には、握って第１、第２拘束リンク２０ａ，２０ｂの他端側の操作軸２１を中心に屈曲変位を促す握り部２１ｈを有している。
さらに第１、第２拘束リンク２０ａ，２０ｂのうちの一方の他端側には、一対のリンク１５の移動端部Ｅ2の移動方向と逆側に第１、第２拘束リンク２０ａ，２０ｂを微小角度折れ曲がり状態で保持するための、保持縁２２を起曲形成している（図５参照）。
【００１３】
そして、前記座幅調節手段１９は、前記それぞれのリンク１５の回動軸ａから移動端部Ｅ2にかけての箇所に突設したピン部材２３と、前記第１、２拘束リンク２０ａ，２０ｂの一端側近傍に、それぞれ第１、第２拘束リンク２０ａ，２０ｂの軸方向に沿って、前記ピン部材２３を選択的に係脱可能に係止する複数の係止穴２４ｐを連設してなる調節長穴２４とによって構成している。なお、かかる座幅調節手段１９は、操作することによって、車椅子１の座幅を、例えば、４２０ｍｍ（図３），４００ｍｍ（図６），３８０ｍｍ（図７）とすることができる設定である。
【００１４】
以上のような座幅変更機能を有する車椅子１において、車椅子１を使用していないとき、保管するときは、先ず座部９における座板１３を、双方のベースフレーム４上から取り外す。すると、座部９直下に配設した折畳み機構１４における一対のリンク１５，１５が露出する。
次いで介護者は、前記一対のリンク１５，１５に併設した拘束手段１８を操作して、第１、第２拘束リンク２０ａ，２０ｂの屈曲動作を介助する。すなわち、介護者は、拘束手段１８の操作軸２１における握り部２１ｈを持って、保持縁２２で保持された状態から、一対のリンク１５の移動端部Ｅ2の移動方向に力を加える。
これによって、一対のリンク１５，１５は、回動軸ａを中心に変位し始め、、移動端部Ｅ2が双方のベースフレーム４上部、下部の内側辺の中間側から背フレーム７取り付け側にかけてのガイドレール１７に沿って移動し、これと同時に、双方のベースフレーム４を、互いに寄せるように押し込んで、車椅子１を、幅方向に折畳むことができ（図４参照）、保管の際に省スペース化を図ることができる。
【００１５】
ところで、使用者の体格が座部９の座幅が合わないようなときは、折畳み機構１４における拘束手段１８を解除操作して、座幅調節手段１９を操作する。
先ず、拘束手段１８の操作軸２１における握り部２１ｈを持って、保持縁２２で保持された状態、すなわち一対のリンク１５の移動端部Ｅ2の移動方向と逆側に微小角度折れ曲がった状態から、一対のリンク１５の移動端部Ｅ2の移動方向に力を加える。
これによって、一対のリンク１５，１５は、回動軸ａを中心に変位し始め、、移動端部Ｅ2が双方のベースフレーム４上部、下部の内側辺の中間側から背フレーム７取り付け側にかけてのガイドレール１７に沿って移動可能となる。
【００１６】
かかる状態で、座幅調節手段１９における、リンク１５側に突設したピン部材２３を、第１、２拘束リンク２０ａ，２０ｂの調節長穴２４における係止穴２４ｐのいずれかに選択的に係止させて、拘束手段１８の操作軸２１における握り部２１ｈを持って移動端部Ｅ2の移動方向と反対方向に押し込んで、前記第１、２拘束リンク２０ａ，２０ｂを再び、リンク１５の移動端部Ｅ2の移動方向と逆側に微小角度折れ曲がった状態にもたらすことで、一対のリンク１５，１５の動作を拘束して、前記双方のフレーム４間の距離、すなわち座幅を所望の幅に保持することができる（図３、図６、図７参照）。
そして、座板１３を双方のフレーム４上に取り付けるに当たり、座幅に対応した取付穴Ｈｖを選択して、ボルト止めすることとなる。
【００１７】
以上、本発明にかかる座幅変更機能を有する椅子装置について、車椅子１に用いた例を挙げ、説明したが、かかる折畳み機構１４は、勿論、通常の椅子２５に用いることも可能である（図８参照）。
【００１８】
【発明の効果】
本発明によれば、非使用時、双方のフレームを、互いに近接するように幅方向に押し込むと、一対のリンクが水平方向に互いに閉じるように変位して折畳み状態とすることができる。しかも使用者に応じて、リンクの回動動作を拘束する拘束手段の座幅調節手段により、一対のリンクの開閉度合を調節して座幅を調節することができ、使用者の体格、身体状況の違いに関わらず、望ましい座位姿勢をとることができる椅子、車椅子を提供することができる。
【００１９】
【図面の簡単な説明】
【図１】本発明にかかる座幅変更機能を有する車椅子の一例を示した、側面説明図である。
【図２】図１に示す椅子の平面図である。
【図３】図１に示す椅子の折畳み機構の構成を示すと共に、座幅を最大とした状態を示す、要部平面図である。
【図４】図３に示す折畳み機構の作用を説明する要部平面図である。
【図５】図３に示す折畳み機構を構成する、一対リンクおよび拘束手段の拡大平面図である。
【図６】折畳み機構における座幅調節手段を操作して、座幅を所定幅に変更した状態を示す、要部平面図である。
【図７】折畳み機構における座幅調節手段を操作して、座幅を別異の幅に変更した状態を示す、要部平面図である。
【図８】本発明にかかる座幅変更機能を有する椅子の一例を示す、平面図である。
【符号の説明】
１                        車椅子
２                        前輪
３                        後輪
４                        ベースフレーム
５                        フットレスト
６                        フットフレーム
７                        背フレーム
８                        ハンドル部
９                        座部
１０                      背部
１１                      アームレスト装置
１２                      クッション部
１３                      座板
１３ｆ                    前座部
１３ｂ                    後座部
１４                      折畳み機構
１５                      リンク
１６                      突片
１７                      ガイドレール
１８                      拘束手段
１９                      座幅調節手段
２０ａ                    第１拘束リンク
２０ｂ                    第２拘束リンク
２１                      操作軸
２１ｈ                    握り部
２２                      保持縁
２３                      ピン部材
２４                      調節長穴
２４ｐ                    係止穴
２５                      椅子
ａ                        回動軸
Ｅ1                       回動固定端部
Ｅ2                       移動端部
Ａｓ                      固定軸
Ｈｖ                      取付穴
【図１】
0003601708.tif 000002
【図２】
0003601708.tif 000003
【図３】
0003601708.tif 000004
【図４】
0003601708.tif 000005
【図５】
0003601708.tif 000006
【図６】
0003601708.tif 000007
【図７】
0003601708.tif 000008
【図８】
0003601708.tif 000009